(57)【要約】【課題】標識ユニットの動作の信頼性を確保することができると共に、視認性を向上させた動画的な表示を実現させることができる自発光式誘導標識を提供すること。【解決手段】少なくとも第１導光板２６と、この第１導光板に施された図柄の輪郭部分を発光させる第１ＬＥＤ３１、前記第１導光板に重ねて配置された第２導光板２７と、この第２導光板に施された図柄の輪郭部分を発光させる第２ＬＥＤ３２とが具備される。  通常時の夜間においては、前記各導光板２６，２７のうちの一枚の導光板に対応した前記ＬＥＤを所定の明るさで点灯制御すると共に、非通常時においては、前記各ＬＥＤを前記所定の明るさよりも高い輝度で交互に発光させることで、前記各導光板に形成された図柄の輪郭部分を交互に発光させて、動画的な表示が行われる。【選択図】図３
0003192691.tif 000002
【実用新案登録請求の範囲】
【請求項１】
少なくとも第１導光板と、この第１導光板に施された図柄の輪郭部分を発光させる第１ＬＥＤ、前記第１導光板に重ねて配置された第２導光板と、この第２導光板に施された図柄の輪郭部分を発光させる第２ＬＥＤとが具備された自発光式誘導標識であって、
通常時の夜間においては、前記各導光板のうちの一枚の導光板に対応した前記ＬＥＤを所定の明るさで点灯制御すると共に、非通常時においては、前記各ＬＥＤを前記所定の明るさよりも高い輝度で交互にもしくは順次発光させることで、前記各導光板に形成された図柄の輪郭部分を交互にもしくは順次発光させて、動画的な表示を行うことを特徴とする自発光式誘導標識。
【請求項２】
重ねて配置された各導光板の背面には、通常時の夜間において点灯表示される前記一枚の導光板に施された図柄に一致する図柄が施された図柄基板が配置され、通常時の昼間においては、前記各導光板を透過して、前記図柄基板に施された図柄を表示することを特徴とする請求項１に記載された自発光式誘導標識。
【請求項３】
前記各ＬＥＤを点灯させるための蓄電池と、前記蓄電池に対して充電を行うための太陽電池とがさらに備えられ、前記太陽電池による出力電圧の値に基づいて、夜間と昼間を判別し、前記ＬＥＤの点滅制御を行うことを特徴とする請求項１または請求項２に記載された自発光式誘導標識。
【請求項４】
少なくとも震感センサー、緊急地震速報受信モジュール、緊急警報信号受信モジュールのいずれか１つと、前記いずれか１つからの信号を受けた場合に、前記非通常時と判定する制御回路とがさらに具備され、前記制御回路は前記各ＬＥＤを前記所定の明るさよりも高い輝度で交互にもしくは順次発光させる制御を行うことを特徴とする請求項１ないし請求項３のいずれか１項に記載された自発光式誘導標識。
【考案の詳細な説明】
【技術分野】
【０００１】
この考案は、光透過性の標識板を重ね合わせて配置し、各標識板に対して選択的に光投射をすることで、動画的な表示を実現させた自発光式誘導標識に関する。
【背景技術】
【０００２】
従来の誘導標識、例えば避難誘導標識においては、夜間の視認性を向上させる目的で標識板及び標識図柄に再帰性反射シートを使用したもの、標識図柄に蓄光材料を使用したもの、太陽電池と蓄電池を備え、ＬＥＤ等の光源を用いた内照式のもの、標識板及び標識図柄を外部から照明する外部照明式を採用したものなどが提供されている。
【０００３】
しかし、これら従来の避難誘導標識は反射素材や蓄光材料の使用により視認性を向上させているものの、緊急時においては避難者の視線を引くことが難しい面があった。
また、内照式及び外照式においては、例えば緊急時において照明の照度を上げて視認性を向上させることも考えられる。しかしながら、緊急時において単に照度を上げるのみでは、消費電力が増大するために太陽電池及び蓄電池の容量の大きなものを用意する必要があり、コストの高騰に比較して十分な効果を期待することは難しい。
【０００４】
そこで、一部に動画的な表示を実現させることで、避難者等の視線を引くことができる動画標識装置もしくは避難誘導標識についての提案がなされており、これは特許文献１および２などに開示されている。
【先行技術文献】
【特許文献】
【０００５】
【特許文献１】特開平１１−２８８２３０号公報
【特許文献２】実用新案登録第３１７５５１９号公報
【考案の概要】
【考案が解決しようとする課題】
【０００６】
ところで、特許文献１に開示された動画標識装置によると、多色に塗り分けられた色表示体をステップモータで回転駆動させる構成が採用されている。これにより標識面を切り換えて多種類の情報を表示することができると共に、標識面が動画的に切り換えられるので人目を引きやすい効果を得ることができると記載されている。
【０００７】
また、特許文献２に開示された避難誘導標識によると、太陽電池と蓄電池を備え、夜間においては、固定標識をＬＥＤによる照明灯によって照射する外部照明方式を採用すると共に、さらに固定標識の他に液晶表示パネルによって情報を画像表示させる構成が採用されている。
【０００８】
前記した特許文献１および２に開示された動画標識装置もしくは避難誘導標識によると、ステップモータを利用した色表示体のメカニズムによる切替え手段や、液晶表示パネルなどの動画表示手段などを必要とする。
したがって、ステップモータを利用した動画表示手段の緊急時における動作の信頼性の問題、また液晶表示パネル等を用意することによるコストの高騰の問題を抱えることになり、これらの問題を解消すべく改良の余地が残されている。
【０００９】
この考案は、前記した問題点に着目してなされたものであり、標識ユニットの十分な動作の信頼性を確保することができると共に、視認性を向上させた動画的な表示を低コストにおいて実現させることができる自発光式誘導標識を提供することを課題とするものである。
【課題を解決するための手段】
【００１０】
前記した課題を解決するためになされたこの考案に係る自発光式誘導標識は、少なくとも第１導光板と、この第１導光板に施された図柄の輪郭部分を発光させる第１ＬＥＤ、前記第１導光板に重ねて配置された第２導光板と、この第２導光板に施された図柄の輪郭部分を発光させる第２ＬＥＤとが具備された自発光式誘導標識であって、通常時の夜間においては、前記各導光板のうちの一枚の導光板に対応した前記ＬＥＤを所定の明るさで点灯制御すると共に、非通常時においては、前記各ＬＥＤを前記所定の明るさよりも高い輝度で交互にもしくは順次発光させることで、前記各導光板に形成された図柄の輪郭部分を交互にもしくは順次発光させて、動画的な表示を行うことを特徴とする。
【００１１】
この場合、重ねて配置された各導光板の背面には、通常時の夜間において点灯表示される前記一枚の導光板に施された図柄に一致する図柄が施された図柄基板が配置され、通常時の昼間においては、前記各導光板を透過して、前記図柄基板に施された図柄を表示する構成を好適に採用することができる。
【００１２】
また、前記各ＬＥＤを点灯させるための蓄電池と、前記蓄電池に対して充電を行うための太陽電池とがさらに備えられ、前記太陽電池による出力電圧の値に基づいて、夜間と昼間を判別し、前記ＬＥＤの点滅制御を行うように構成することが望ましい。
【００１３】
加えて前記した自発光式誘導標識には、少なくとも震感センサー、緊急地震速報受信モジュール、緊急警報信号受信モジュールのいずれか１つと、前記いずれか１つからの信号を受けた場合に、前記非通常時と判定する制御回路とがさらに具備されていることが望ましく、前記制御回路により前記各ＬＥＤを前記所定の明るさよりも高い輝度で交互にもしくは順次発光させる制御が実行される。
【考案の効果】
【００１４】
前記した構成の自発光式誘導標識によると、異なった図柄が施された第１導光板と、第２導光板とが少なくとも備えられ、それぞれの導光板における図柄の輪郭部分を選択的に発光させるＬＥＤを前記導光板のそれぞれに備えた構成が採用される。
したがって、光学的な標識ユニットの構成を、簡素化させることができるので、標識ユニットの十分な動作の信頼性を確保することができ、視認性を向上させた動画的な表示を低コストにおいて実現させることが可能となる。
【００１５】
また、前記した自発光式誘導標識を、例えば地震や津波等の災害発生時における避難誘導標識として利用する場合においては、震感センサー、緊急地震速報受信モジュール、緊急警報信号受信モジュールなどが適宜備えられる。
そして、前記センサーおよび受信モジュールからの信号を受けて、制御回路により各導光板に備えられた前記各ＬＥＤを所定の明るさよりも高い輝度で交互に、もしくは順次発光させる制御を実行することで、緊急事態の発生と避難誘導の指示を明確に表示することが可能となる。
【図面の簡単な説明】
【００１６】
【図１】この考案に係る自発光式誘導標識装置を標識支柱に取り付けた全体構成を示した正面図である。
【図２】制御ユニットを拡大して示した側面図および背面図である。
【図３】標識ユニットの分解斜視図である。
【図４】標識ユニットの主要部を構成する各部材の正面図である。
【図５】制御ユニットの回路構成例を示したブロック図である。
【考案を実施するための形態】
【００１７】
この考案に係る自発光式誘導標識について、これを避難誘導標識として利用した図示例に基づいて説明する。
図１は自発光式誘導標識を標識支柱１に取り付けた例を示すものであり、この自発光式誘導標識は、標識ユニット２と制御ユニット３とに分けられて構成されている。
前記標識ユニット２は、標識支柱１に対して人体の目線に等しい位置、もしくは目線よりも若干高い位置に取り付けられ、また制御ユニット３は、標識支柱１の上端部に取り付けられた金属製のケース内に収容されている。
【００１８】
図２は、制御ユニット３を構成する金属製ケースの外観構成を拡大して示したものであり、図２（Ａ）は側面図で示し、図２（Ｂ）は背面図で示している。
すなわち、制御ユニット３を構成する金属製ケース４の上部には、太陽電池１１が所定の傾斜角をもって搭載されており、金属製ケース４の内部には、図２（Ｂ）に示すように蓄電池１２、充放電コントローラ１３、震感センサー１４、緊急地震速報および緊急信号受信モジュール１５，１６、制御回路１８等が収容されている。
【００１９】
また、金属製ケース４の頂端部には、前記した緊急地震速報および緊急信号受信モジュール１５，１６に接続される受信アンテナ１７が取り付けられている。
なお、図２に示す制御ユニット３を構成する各部の機能および相互の作用については、図５に基づいて後で詳細に説明する。
【００２０】
図３は、標識ユニット２を構成する各部材を分解して示した斜視図である。この標識ユニット２は、矩形状にして偏平状に形成された筐体２１が、その裏面において取り付け金具２２によって前記した標識支柱１に取り付けられる。
前記筐体２１の矩形状の周縁部には防水用パッキン２３が取り付けられており、この筐体２１の前面側に取り付けられる前枠部材２４の直後には、前記防水用パッキン２３に接する表示板２５が配置されている。そして、表示板２５と筐体２１との間には、第１の導光板２６、第２の導光板２７、図柄基板２８が順に収容されている。
【００２１】
前記表示板２５は、透明な樹脂または飛散防止処理を施した強化ガラスが用いられ、その上半部の大半を占めるようにして素通しの窓部２５ａが形成されており、その下半部には避難場所の名称及び避難場所までの距離を明示した表示シート２５ｂが、表面から貼り付けられている。
【００２２】
そして、前記表示板２５に形成された窓部２５ａに臨むようにして、前記した第１の導光板２６、第２の導光板２７、図柄基板２８が重ね合わされた状態で配置されている。
さらに、第１の導光板２６の上縁部には、第１のＬＥＤ３１が導光板２６に埋め込まれるようにして配置され、第２の導光板２７の上縁部にも、第２のＬＥＤ３２が導光板２７に埋め込まれるようにして配置されている。
【００２３】
図４は、前記した第１の導光板２６、第２の導光板２７、図柄基板２８のより詳細な構成を示したものである。
第１と第２の導光板２６，２７は、例えばアクリル樹脂などの素材が用いられており、その上縁部には前記したとおり、第１と第２のＬＥＤ３１，３２がそれぞれ配置されている。そして、第１と第２の導光板２６，２７には若干異なった図柄が、それぞれ導光板の面に直交する方向に切り込まれて描かれている。
【００２４】
したがって、第１と第２の導光板２６，２７にそれぞれＬＥＤ３１，３２から光が投光された場合には、それぞれの導光板に施された図柄は、導光板に切り込まれた輪郭部分が発光したように見ることができ、その輪郭部分の発光は導光板に直交する方向から鮮明に見ることができる。前記した図柄の輪郭部分を発光させる手段は、通称エッジライト方式とも呼ばれている。
【００２５】
この実施の形態においては、第１の導光板２６に施された図柄２６ａは、破線で示したとおり、大きな波が人体の後ろから迫る様子を示しており、避難方向を示す矢印は大きく描かれている。また第２の導光板２７に施された図柄２７ａは、同じく破線で示したとおり、若干小さな波が人体の後ろから迫る様子を示しており、避難方向を示す矢印も若干小さく描かれている。
したがって、第１と第２の導光板２６，２７にそれぞれ配置された第１と第２のＬＥＤ３１，３２を交互に点灯させると、波が迫る様子と避難方向を示す矢印とを動画的に繰り返して示すことができる。
【００２６】
一方、第１と第２の導光板２６，２７の背面側に重ねられて配置された図柄基板２８には、第１の導光板２６に施された図柄と同一の図柄を施したシートを貼り付けるか、もしくは同一の図柄が塗装により施されている。
なお、この図柄基板２８に施された図柄は、通常時の昼間においては、前記した第１と第２の導光板２６，２７を透過して見ることができる。
【００２７】
図５は前記した制御ユニット３に格納された回路構成例を示したブロック図である。
なお図５に示すブロック図においては、すでに説明した各部材と同一の符号を付けて示している。
そして、図５における実線の矢印は、電流もしくは電圧の供給経路を示しており、破線の矢印は、制御信号の伝送経路を示している。
【００２８】
図５に示すように太陽電池１１により得られる電流は、充放電コントローラ１３を介して蓄電池１２に供給され、昼間においては蓄電池１２に対して充電を行うように作用する。また、太陽電池１１による出力電圧は電圧検出回路１９にも供給され、この電圧検出回路１９における検出電圧値に基づいて、昼間と夜間とが判別される。そして、電圧検出回路１９による昼間と夜間との判別出力は、制御回路１８に供給される。
【００２９】
一方、前記制御回路１８には、震感センサー１４からの出力、緊急地震速報受信モジュール１５からの出力、緊急信号受信モジュール１６からの出力が供給されるように構成されている。なお、前記緊急地震速報受信モジュール１５および緊急信号受信モジュール１６には、前記したとおり外付けの受信アンテナ１７が接続されている。
【００３０】
また、制御回路１８からは、ＰＷＭ回路２０に対して輝度制御信号が供給されると共に、スイッチ回路ＳＷ１に対して切替え信号が供給されるように構成されている。
なお、前記した蓄電池１２からの駆動電流は、充放電コントローラ１３を介して前記ＰＷＭ回路２０に供給されるように構成されている。またＰＷＭ回路２０を経た蓄電池１２からの駆動電流は、スイッチ回路ＳＷ１を介して第１および第２のＬＥＤ３１，３２に供給され、前記した第１および第２の導光板２６，２７にそれぞれ施された図柄２６ａ，２７ａを、エッジライト方式により照射するように作用する。
【００３１】
図５に示した構成において、昼間の通常時においては、太陽電池１１からの生成電流は充放電コントローラ１３を介して蓄電池１２を充電するように作用する。
そして、電圧検出回路１９は太陽電池１１からの出力電圧を検知し、制御回路１８はこの情報を受けて昼間であると判定し、ＰＷＭ回路２０を動作停止状態（オフ状態）に設定する。したがって、第１および第２のＬＥＤ３１，３２は不点灯になされ、前記した標識ユニット２においては、図柄基板２８に描かれた図柄が表示される。
【００３２】
また夜間の通常時においては、電圧検出回路１９は太陽電池１１からの出力電圧の低下を検知し、制御回路１８はこの情報を受けて夜間であると判定する。そして、制御回路１８はＰＷＭ回路２０のデューティーが、例えば３５％程度となるように指令信号を送る。
また制御回路１８は、スイッチ回路ＳＷ１に対して図５に示す状態、すなわち第１のＬＥＤ３１を点灯させる指令を出力する。
これにより、前記した標識ユニット２においては、ＰＷＭ回路２０のデューティーが３５％程度に相当する光量（輝度）で、第１導光板２６に施された図柄２６ａが照射されて表示される。
【００３３】
一方、昼間および夜間を問わず、地震の発生時には予め定められた震度以上の場合において、前記制御ユニット３に搭載された震感センサー１４から制御回路１８に対して感知出力が供給される。
また緊急地震速報受信モジュール１５、緊急信号受信モジュール１６において、緊急信号を受信した場合においても制御回路１８に対して受信出力が供給される。
【００３４】
前記した感知出力もしくは受信出力を受けた制御回路１８は、ＰＷＭ回路２０に対して、出力デューティーが１００％となる指令信号を送ると共に、スイッチ回路ＳＷ１に対して所定の時間間隔で、スイッチ回路ＳＷ１の切替え動作を行う指令信号を出力する。
これにより、標識ユニット２における第１導光板２６に配置された第１ＬＥＤ３１と、第２導光板２７に配置された第２ＬＥＤ３２は、高輝度の状態で交互に点灯が切り換えられる。
【００３５】
したがって、標識ユニット２における第１導光板２６に施された図柄２６ａと、第２導光板２７に施された図柄２７ａの各輪郭部分が、交互に照射を受けて発光する。
これにより、すでに説明したとおり、標識ユニット２には波が迫る様子と避難方向を示す矢印とが動画的に示される。これにより、避難者に対して適切な避難指示を示すことができる
【００３６】
なお、制御ユニット３内の震感センサー１４が地震を感知した場合、及び緊急地震速報受信モジュール１５、緊急信号受信モジュール１６の受信により制御ユニット３が動作を開始した場合には、電波での速報の終了信号が存在しない為、あらかじめ設定した時間経過後にその動作を終了し、昼間であれば前記ＬＥＤ３１，３２を消灯し、夜間においてはＬＥＤ３１の通常の点灯動作に復帰するように構成することが望ましい。
【００３７】
また、制御ユニット３の動作期間中に、震感センサー１４が地震を感知した場合、及び緊急地震速報受信モジュール１５、緊急信号受信モジュール１６が信号を受信した場合には、制御ユニット３の動作が延長されるように構成されていることが望ましい。
加えて、緊急警報信号を受信して制御ユニット３が動作を開始した場合には、その終了信号を受信するまで動作を継続することが望ましい。
加えて、制御ユニット３によるこれらの動作の継続期間中においては、制御ユニット３内の充放電コントローラ１３は、蓄電池１２の過放電を防止する手段が作動しないように設定することが望ましい。
【００３８】
以上説明した実施の形態においては、標識ユニット２に、第１と第２の導光板２６，２７を備え、これらに配備された第１と第２のＬＥＤ３１，３２を交互に点灯させる例を示しているが、前記導光板としては３枚以上を重ねて備え、それぞれに配備されたＬＥＤを順次発光させるように構成することもできる。
また、前記した実施の形態においては、制御ユニット３に震感センサー１４、緊急地震速報受信モジュール１５、緊急警報信号受信モジュール１６が備えられた例を示しているが、これらはそのいずれか１つを備えた構成であっても、同様の作用効果を得ることができる。
【００３９】
さらに、前記した実施の形態においては、一例として緊急時の避難経路の誘導標識に応用した例を示しているが、この考案に係る自発光式誘導標識は、この様な特定の形態に限られることなく、一般の道路標識や案内看板等にも応用することができ、この場合においても前記した考案の効果の欄に記載したとおりの作用効果を得ることができる。
【符号の説明】
【００４０】
１      標識支柱
２      標識ユニット
３      制御ユニット
４      金属製ケース
１１    太陽電池
１２    蓄電池
１３    充放電コントローラ
１４    震感センサー
１５    緊急地震速報受信モジュール
１６    緊急信号受信モジュール
１７    受信アンテナ
１８    制御回路
１９    電圧検出回路
２０    ＰＷＭ回路
２１    筐体
２２    取り付け金具
２３    防水用パッキン
２４    前枠部材
２５    表示板
２５ａ  窓部
２５ｂ  表示シート
２６    第１導光板
２６ａ  図柄
２７    第２導光板
２７ａ  図柄
２８    図柄基板
３１    第１ＬＥＤ
３２    第２ＬＥＤ
ＳＷ１  スイッチ回路
【図１】
0003192691.tif 000003
【図２】
0003192691.tif 000004
【図３】
0003192691.tif 000005
【図４】
0003192691.tif 000006
【図５】
0003192691.tif 000007